【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
第１のフラグメント化されたネットワークアブストラクションレイヤ（ＮＡＬ）ユニットのサブセットを備える第１のフラグメンテーションユニット（ＦＵ）を受信することと、
前記第１のＦＵが前記第１のフラグメント化されたＮＡＬユニットの開始を備えるかどうかを決定するために、前記第１のＦＵの開始ビットを解析することと、
２つ以上のリアルタイムトランスポートプロトコル（ＲＴＰ）セッションを使用して、前記第１のＦＵが前記第１のフラグメント化されたＮＡＬユニットの前記開始を備えることおよび前記第１のＦＵに関する送信モードがマルチセッション送信モードであることを決定することと、
前記第１のＦＵが前記第１のフラグメント化されたＮＡＬユニットの前記開始を備えることおよび前記第１のＦＵに関する前記送信モードが前記マルチセッション送信モードであることを決定することに応答して、最下位ビット（ＤＯＮＬ）フィールドの復号順序番号が前記第１のＦＵ内に存在することを決定することと、ここにおいて、前記第１のＦＵ内に存在する前記ＤＯＮＬフィールドは、前記第１のＦＵが前記第１のフラグメント化されたＮＡＬユニットの前記開始を備えることおよび前記第１のＦＵに関する前記送信モードが前記マルチセッション送信モードであることに基づき、
前記第１のフラグメント化されたＮＡＬユニットに関する復号順序番号を決定するために前記ＤＯＮＬフィールドを解析することと、ここにおいて、前記復号順序番号の値は、前記ＤＯＮＬフィールド内の値に等しく、
前記決定された復号順序に基づいて前記第１のフラグメント化されたＮＡＬユニットを復号することと、
を備える、方法。
【請求項２】
第２のフラグメント化されたＮＡＬユニットのサブセットを備える第２のＦＵを受信することと、
前記第２のＦＵが前記第２のフラグメント化されたＮＡＬユニットの開始を備えることを決定するために、前記第２のＦＵの開始ビットを解析することと、
前記第２のＦＵが前記第２のフラグメント化されたＮＡＬユニットの前記開始を備えることおよび第１のパラメータが第１の値より大きいことに応答して、第２のＤＯＮＬフィールドが前記第２のＦＵ内に存在することを決定することと、ここにおいて、前記第１のパラメータは、受信順序においてパケット化解除バッファ内の前記第１のＮＡＬユニットに先行し、復号順序において前記第１のＮＡＬユニットに後続する、ＮＡＬユニットの最大数を指定し、
前記第２のフラグメント化されたＮＡＬユニットに関する第２の復号順序を決定するために前記第２のＤＯＮＬフィールドを解析することと、
前記決定された第２の復号順序に基づいて前記第２のフラグメント化されたＮＡＬユニットを復号することと、
をさらに備える、請求項１に記載の方法。
【請求項３】
前記最大数が、両端値を含む０乃至３２７６７の範囲内にある、請求項２に記載の方法。
【請求項４】
前記ＤＯＮＬフィールドが、前記復号順序番号の最下位ビットの数の値を指定する、請求項１に記載の方法。
【請求項５】
前記数の前記値が１６である、請求項４に記載の方法。
【請求項６】
前記第１のフラグメント化されたＮＡＬユニットの第２のサブセットを備える第２のＦＵを受信することと、
前記第２のＦＵが前記第１のフラグメント化されたＮＡＬユニットの終了を備えるかどうかを決定するために、前記第２のＦＵの終了ビットを解析することと、
前記第２のフラグメンテーションユニットが前記第１のフラグメント化されたＮＡＬユニットの前記終了を備えることに応答して、ＤＯＮＬフィールドが前記第２のＦＵ内に存在しないことを決定することと、
をさらに備える、請求項１に記載の方法。
【請求項７】
前記第１のＦＵおよび前記第２のＦＵに基づいて、前記第１のフラグメント化されたＮＡＬユニットを再構成することをさらに備える、請求項６に記載の方法。
【請求項８】
第２のフラグメント化されたＮＡＬユニットのサブセットを備える第２のＦＵを受信することと、
前記第２のＦＵに関する送信モードがシングルセッション送信モードであることに応答して、ＤＯＮＬフィールドが前記第２のＦＵ内に存在しないことを決定することと、
をさらに備える、請求項１に記載の方法。
【請求項９】
第２のフラグメント化されたＮＡＬユニットのサブセットを備える第２のＦＵを受信することと、
前記第２のＦＵに関する第１のパラメータが前記第１の値に等しいことに応答して、ＤＯＮＬフィールドが前記第２のＦＵ内に存在しないことを決定することと、
をさらに備える、請求項１に記載の方法。
【請求項１０】
ビデオデータを処理するためのデバイスであって、装置が、
ビデオデータを記憶するように構成されたメモリと、
リアルタイムトランスポートプロトコル（ＲＴＰ）パケットを受信するように構成された受信機と、
第１のフラグメント化されたネットワークアブストラクションレイヤ（ＮＡＬ）ユニットのサブセットを備える第１のフラグメンテーションユニット（ＦＵ）を受信することと、
前記第１のＦＵが前記第１のフラグメント化されたＮＡＬユニットの開始を備えるかどうかを決定するために、前記第１のＦＵの開始ビットを解析することと、
２つ以上のリアルタイムトランスポートプロトコル（ＲＴＰ）セッションを使用して、前記第１のＦＵが前記第１のフラグメント化されたＮＡＬユニットの前記開始を備えることおよび前記第１のＦＵに関する送信モードがマルチセッション送信モードであることを決定することと、
前記第１のＦＵが前記第１のフラグメント化されたＮＡＬユニットの前記開始を備えることおよび前記第１のＦＵに関する前記送信モードが前記マルチセッション送信モードであることを決定することに応答して、最下位ビット（ＤＯＮＬ）フィールドの復号順序番号が前記第１のＦＵ内に存在することを決定することと、ここにおいて、前記第１のＦＵ内に存在する前記ＤＯＮＬフィールドは、前記第１のＦＵが前記第１のフラグメント化されたＮＡＬユニットの前記開始を備えることおよび前記第１のＦＵに関する前記送信モードが前記マルチセッション送信モードであることに基づき、
前記第１のフラグメント化されたＮＡＬユニットに関する復号順序番号を決定するために前記ＤＯＮＬフィールドを解析することと、ここにおいて、前記復号順序番号の値は、前記ＤＯＮＬフィールド内の値に等しく、
前記決定された復号順序に基づいて前記第１のフラグメント化されたＮＡＬユニットを復号することと、
を行うように構成された１つまたは複数のプロセッサと、
を備える、デバイス。
【請求項１１】
前記１つまたは複数のプロセッサが、
第２のフラグメント化されたＮＡＬユニットのサブセットを備える第２のＦＵを受信することと、
前記第２のＦＵが前記第２のフラグメント化されたＮＡＬユニットの開始を備えることを決定するために、前記第２のＦＵの開始ビットを解析することと、
前記第２のＦＵが前記第２のフラグメント化されたＮＡＬユニットの前記開始を備えることおよび第１のパラメータが第１の値より大きいことに応答して、第２のＤＯＮＬフィールドが前記第２のＦＵ内に存在することを決定することと、ここにおいて、前記第１のパラメータは、受信順序においてパケット化解除バッファ内の前記第１のＮＡＬユニットに先行し、復号順序において前記第１のＮＡＬユニットに後続する、ＮＡＬユニットの最大数を指定し、
前記第２のフラグメント化されたＮＡＬユニットに関する第２の復号順序を決定するために前記第２のＤＯＮＬフィールドを解析することと、
前記決定された第２の復号順序に基づいて前記第２のフラグメント化されたＮＡＬユニットを復号することと、
を行うようにさらに構成される、請求項１０に記載のデバイス。
【請求項１２】
前記最大数が３２７６７である、請求項１１に記載のデバイス。
【請求項１３】
前記ＤＯＮＬフィールドが、前記復号順序番号の最下位ビットの数の値を指定する、請求項１０に記載のデバイス。
【請求項１４】
前記数の前記値が１６である、請求項１３に記載のデバイス。
【請求項１５】
前記１つまたは複数のプロセッサが、
前記第１のフラグメント化されたＮＡＬユニットの第２のサブセットを備える第２のＦＵを受信することと、
前記第２のＦＵが前記第１のフラグメント化されたＮＡＬユニットの終了を備えるかどうかを決定するために、前記第２のＦＵの終了ビットを解析することと、
前記第２のフラグメンテーションユニットが前記第１のフラグメント化されたＮＡＬユニットの前記終了を備えることに応答して、ＤＯＮＬフィールドが前記第２のＦＵ内に存在しないことを決定することと、
を行うようにさらに構成される、請求項１０に記載のデバイス。
【請求項１６】
前記１つまたは複数のプロセッサが、
前記第１のＦＵおよび前記第２のＦＵに基づいて、前記第１のフラグメント化されたＮＡＬユニットを再構成するようにさらに構成される、請求項１５に記載のデバイス。
【請求項１７】
前記１つまたは複数のプロセッサが、
第２のフラグメント化されたＮＡＬユニットのサブセットを備える第２のＦＵを受信することと、
前記第２のＦＵに関する送信モードがシングルセッション送信モードであることに応答して、ＤＯＮＬフィールドが前記第２のＦＵ内に存在しないことを決定することと、
を行うようにさらに構成される、請求項１０に記載のデバイス。
【請求項１８】
前記１つまたは複数のプロセッサが、
第２のフラグメント化されたＮＡＬユニットのサブセットを備える第２のＦＵを受信することと、
前記第２のＦＵに関する第１のパラメータが前記第１の値に等しいことに応答して、ＤＯＮＬフィールドが前記第２のＦＵ内に存在しないことを決定することと、
を行うようにさらに構成される、請求項１０に記載のデバイス。
【請求項１９】
前記デバイスが、
集積回路、
マイクロプロセッサ、または
ビデオコーダを備えるワイヤレス通信デバイス、
のうちの少なくとも１つを備える、請求項１０に記載のデバイス。
【請求項２０】
命令を記憶する非一時的コンピュータ可読記憶媒体であって、前記命令が、１つまたは複数のプロセッサによって実行されたとき、前記１つまたは複数のプロセッサに、
第１のフラグメント化されたネットワークアブストラクションレイヤ（ＮＡＬ）ユニットのサブセットを備える第１のフラグメンテーションユニット（ＦＵ）を受信することと、
前記第１のＦＵが前記第１のフラグメント化されたＮＡＬユニットの開始を備えるかどうかを決定するために、前記第１のＦＵの開始ビットを解析することと、
２つ以上のリアルタイムトランスポートプロトコル（ＲＴＰ）セッションを使用して、前記第１のＦＵが前記第１のフラグメント化されたＮＡＬユニットの前記開始を備えることおよび前記第１のＦＵに関する送信モードがマルチセッション送信モードであることを決定することと、
前記第１のＦＵが前記第１のフラグメント化されたＮＡＬユニットの前記開始を備えることおよび前記第１のＦＵに関する前記送信モードが前記マルチセッション送信モードであることを決定することに応答して、最下位ビット（ＤＯＮＬ）フィールドの復号順序番号が前記第１のＦＵ内に存在することを決定することと、ここにおいて、前記第１のＦＵ内に存在する前記ＤＯＮＬフィールドは、前記第１のＦＵが前記第１のフラグメント化されたＮＡＬユニットの前記開始を備えることおよび前記第１のＦＵに関する前記送信モードが前記マルチセッション送信モードであることに基づき、
前記第１のフラグメント化されたＮＡＬユニットに関する復号順序番号を決定するために前記ＤＯＮＬフィールドを解析することと、ここにおいて、前記復号順序番号の値は、前記ＤＯＮＬフィールド内の値に等しく、
前記決定された復号順序に基づいて前記第１のフラグメント化されたＮＡＬユニットを復号することと、
を行わせる、非一時的コンピュータ可読記憶媒体。
【請求項２１】
実行されたとき、前記１つまたは複数のプロセッサに、
第２のフラグメント化されたＮＡＬユニットのサブセットを備える第２のＦＵを受信することと、
前記第２のＦＵが前記第２のフラグメント化されたＮＡＬユニットの開始を備えることを決定するために、前記第２のＦＵの開始ビットを解析することと、
前記第２のＦＵが前記第２のフラグメント化されたＮＡＬユニットの前記開始を備えることおよび第１のパラメータが第１の値より大きいことに応答して、第２のＤＯＮＬフィールドが前記第２のＦＵ内に存在することを決定することと、ここにおいて、前記第１のパラメータは、受信順序においてパケット化解除バッファ内の前記第１のＮＡＬユニットに先行し、復号順序において前記第１のＮＡＬユニットに後続する、ＮＡＬユニットの最大数を指定し、
前記第２のフラグメント化されたＮＡＬユニットに関する第２の復号順序を決定するために前記第２のＤＯＮＬフィールドを解析することと、
前記決定された第２の復号順序に基づいて前記第２のフラグメント化されたＮＡＬユニットを復号することと、
を行わせるさらなる命令を記憶する、請求項２０に記載の非一時的コンピュータ可読記憶媒体。
【請求項２２】
前記最大数が、両端値を含む０乃至３２７６７の範囲の範囲内にある、請求項２１に記載の非一時的コンピュータ可読記憶媒体。
【請求項２３】
前記ＤＯＮＬフィールドが、前記復号順序番号の最下位ビットの数の値を指定する、請求項２０に記載の非一時的コンピュータ可読記憶媒体。
【請求項２４】
前記数の前記値が１６である、請求項２３に記載の非一時的コンピュータ可読記憶媒体。
【請求項２５】
前記１つまたは複数のプロセッサによって実行されたとき、前記１つまたは複数のプロセッサに、
前記第１のフラグメント化されたＮＡＬユニットの第２のサブセットを備える第２のＦＵを受信することと、
前記第２のＦＵが前記第１のフラグメント化されたＮＡＬユニットの終了を備えるかどうかを決定するために、前記第２のＦＵの終了ビットを解析することと、
前記第２のフラグメンテーションユニットが前記第１のフラグメント化されたＮＡＬユニットの前記終了を備えることに応答して、ＤＯＮＬフィールドが前記第２のＦＵ内に存在しないことを決定することと、
を行わせるさらなる命令を記憶する、請求項２０に記載の非一時的コンピュータ可読記憶媒体。
【請求項２６】
前記１つまたは複数のプロセッサによって実行されたとき、前記１つまたは複数のプロセッサに、
前記第１のＦＵおよび前記第２のＦＵに基づいて、前記第１のフラグメント化されたＮＡＬユニットを再構成させるさらなる命令を記憶する、請求項２５に記載の非一時的コンピュータ可読記憶媒体。
【請求項２７】
前記１つまたは複数のプロセッサによって実行されたとき、前記１つまたは複数のプロセッサに、
第２のフラグメント化されたＮＡＬユニットのサブセットを備える第２のＦＵを受信することと、
前記第２のＦＵに関する送信モードがシングルセッション送信モードであることに応答して、ＤＯＮＬフィールドが前記第２のＦＵ内に存在しないことを決定することと、
を行わせるさらなる命令を記憶する、請求項２０に記載の非一時的コンピュータ可読記憶媒体。
【請求項２８】
前記１つまたは複数のプロセッサによって実行されたとき、前記１つまたは複数のプロセッサに、
第２のフラグメント化されたＮＡＬユニットのサブセットを備える第２のＦＵを受信することと、
前記第２のＦＵに関する第１のパラメータが前記第１の値に等しいことに応答して、ＤＯＮＬフィールドが前記第２のＦＵ内に存在しないことを決定することと、
を行わせるさらなる命令を記憶する、請求項２０に記載の非一時的コンピュータ可読記憶媒体。
【請求項２９】
ビデオデータを処理する方法であって、
フラグメント化されたネットワークアブストラクションレイヤ（ＮＡＬ）ユニットのサブセットを備える第１のフラグメンテーションユニット（ＦＵ）を生成することと、ここにおいて、前記第１のＦＵは、前記フラグメント化されたＮＡＬユニットの開始を備え、
前記第１のＦＵが前記フラグメント化されたＮＡＬユニットの前記開始を備えることを示すために、前記第１のＦＵの開始ビットを設定することと、
２つ以上のリアルタイムトランスポートプロトコル（ＲＴＰ）セッションを使用して、前記第１のＦＵが前記フラグメント化されたＮＡＬユニットの前記開始を備えることおよび前記第１のＦＵに関する送信モードがマルチセッション送信モードであることに応答して、前記フラグメント化されたＮＡＬユニットに関する復号順序を示すために最下位ビット（ＤＯＮＬ）フィールドの復号順序番号を設定することと、ここにおいて、前記復号順序番号の値は、前記ＤＯＮＬフィールド内の値に等しく、前記第１のＦＵ内に存在する前記ＤＯＮＬフィールドは、前記第１のＦＵが前記第１のフラグメント化されたＮＡＬユニットの前記開始を備えることおよび前記第１のＦＵに関する前記送信モードが前記マルチセッション送信モードであることに基づき、
前記フラグメント化されたＮＡＬユニットを送信することと、
を備える、方法。
【請求項３０】
第２のフラグメント化されたＮＡＬユニットのサブセットを備える第２のＦＵを生成することと、ここにおいて、前記第２のＦＵは、前記第２のフラグメント化されたＮＡＬユニットの開始を備え、
前記第１のＦＵが前記フラグメント化されたＮＡＬユニットの前記開始を備えることを示すために、前記第２のＦＵの開始ビットを設定することと、
前記第２のＦＵが前記フラグメント化されたＮＡＬユニットの前記開始を備えることおよび前記第２のＦＵに関する送信モードがシングルセッション送信モードであることに応答して、前記第２のフラグメント化されたＮＡＬユニットに関する復号順序を示すために、前記第２のＦＵからＤＯＮＬフィールドを取り除くことと、
前記第２のフラグメント化されたＮＡＬユニットを送信することと、
をさらに備える、請求項２９に記載の方法。